(57)【要約】【課題】商品の積上高さに連動して、表示板の高さを変えられるようにする。【解決手段】商品を載せる置台部１と、表示板２１の下方に脚部２２を連設した表示部材２とを備え、置台部１に形成したスリット１７に、表示部材２の脚部２２を差し込んで、表示部材２を起立状態に保持する陳列台において、前記表示部材２の脚部２２に、上下に並んで側方へ張り出す複数の係止片２３を設け、これらの係止片２３のうち、下方側からいずれの係止片２３まで折り込むかを選択することにより、係止片２３を折り込んだ部分まで脚部２２をスリット１７へ差し込み、張り出した係止片２３で表示部材２を下がり止めし、表示板２１の高さを調整できるようにする。【選択図】図１
2011000352.tif 000002
【特許請求の範囲】
【請求項１】
商品(G)を載せる置台部(1)と、表示板(21)の下方に脚部(22)を連設した表示部材(2)とを備え、置台部(1)に形成したスリット(17)に、表示部材(2)の脚部(22)を差し込んで、表示部材(2)を起立状態に保持する陳列台において、前記表示部材(2)の脚部(22)に、上下に並んで側方へ張り出す複数の係止片(23)を設け、これらの係止片(23)のうち、下方側からいずれの係止片(23)まで折り込むかを選択することにより、係止片(23)を折り込んだ部分まで脚部(22)をスリット(17)へ差し込み、張り出した係止片(23)で表示部材(2)を下がり止めし、表示板(21)の高さを調整できるようにしたことを特徴とする陳列台。
【発明の詳細な説明】
【技術分野】
【０００１】
この発明は、店頭での商品の陳列に使用され、広告等を表示する表示板を備えた陳列台に関するものである。
【背景技術】
【０００２】
従来、下記特許文献１には、図７に示すように、商品輸送用の外箱を兼ねる基台部５１に受架材５２を挿入し、商品を載せるトレー状の置台部５３を、基台５１の上面開口部に嵌め込んで、受架材５２により支持し、置台部５３の後部に表示部材５４を取り付ける陳列台が記載されている。
【０００３】
表示部材５４は、商品のキャッチコピー等を表示する表示板５５の下方に脚部５６を連設したものであり、この脚部５６を置台部５３の後壁上部に形成したスリット５７に差し込むことにより、表示部材５４が起立状態に保持される。
【先行技術文献】
【特許文献】
【０００４】
【特許文献１】特開２００３−２０４８５２号公報
【発明の概要】
【発明が解決しようとする課題】
【０００５】
しかしながら、上記のような陳列台では、置台部５３に商品を積み上げすぎると、表示板５５が商品で隠されて、訴求効果が得られず、また、商品の積上高さが低くなると、商品と表示板５５との間に距離が生じて、訴求効果が低下するという問題がある。
【０００６】
そこで、この発明は、商品の積上高さに連動して、表示板の高さを変えられるようにすることを課題とする。
【課題を解決するための手段】
【０００７】
上記のような課題を解決するため、この発明は、商品を載せる置台部と、表示板の下方に脚部を連設した表示部材とを備え、置台部に形成したスリットに、表示部材の脚部を差し込んで、表示部材を起立状態に保持する陳列台において、前記表示部材の脚部に、上下に並んで側方へ張り出す複数の係止片を設け、これらの係止片のうち、下方側からいずれの係止片まで折り込むかを選択することにより、係止片を折り込んだ部分まで脚部をスリットへ差し込み、張り出した係止片で表示部材を下がり止めし、表示板の高さを調整できるようにしたのである。
【発明の効果】
【０００８】
この発明に係る陳列台では、置台部への商品の積上高さに連動して、係止片を折り込む部分を変え、表示部材の脚部のスリットへの差込深さを変化させて、表示板の高さを調整できるので、商品で表示板が隠されるのを防止しつつ、表示板と商品とを接近させて、優れた訴求性を得ることができる。
【図面の簡単な説明】
【０００９】
【図１】この発明に係る陳列台の表示板の高さが低い状態を示す斜視図
【図２】同上の表示板の高さが（ａ）中間の状態を示す斜視図、（ｂ）高い状態を示す斜視図
【図３】同上の（ａ）置台部を構成する分割材のブランクを示す図、（ｂ）表示部材のブランクを示す図
【図４】同上の置台部の組立状態を示す斜視図
【図５】同上の表示部材の組立状態を示す斜視図
【図６】同上の置台部への表示部材の差込過程を示す斜視図
【図７】従来の表示板付き陳列台を示す斜視図
【発明を実施するための形態】
【００１０】
以下、この発明の実施形態を添付図面に基づいて説明する。
【００１１】
この陳列台は、図１及び図２に示すように、商品Ｇを載せる置台部１と、これに付属する表示部材２とから構成される。置台部１及び表示部材２は、図３に示すような段ボールのブランクから形成される。
【００１２】
図３（ａ）に示す分割材１１は、２枚接合されて、置台部１を構成するものである。各分割材１１のブランクは、広面板１２と側面板１３とを横に並べて連設し、広面板１２の外側に継代片１４を連設し、広面板１２の上端に外天板１５を、側面板１３の上端に内天板１６をそれぞれ連設したものとされている。
【００１３】
外天板１５には、基端寄り及び先端寄りにそれぞれ横断方向の折目線１８ａ，１８ｂが入れられ、折目線１８ａに沿ってスリット１７が設けられると共に、折目線１８ｂの中間部に解体用の指入穴１５ａが設けられている。
【００１４】
内天板１６には、基端寄りに横断方向の折目線１８ａが入れられ、先端中間部から折目線１８ａへかけて切溝１６ａが設けられている。内天板１６の両側縁先端部は、スリット１７に対応して切り欠かれている。
【００１５】
図３（ｂ）に示す表示部材２のブランクは、商品のキャッチコピー等が印刷された表示板２１から下方へ脚部２２を延出し、脚部２２の両側に、折目線を介して、上下に並んで側方へ張り出す係止片２３を３個ずつ設けると共に、係止片２３を避けるように、補強片２４を連設したものとされている。
【００１６】
上下に隣接する係止片２３の境界をなす切目線は、脚部２２のスリット１７への差し込みに際し、折り込んだ係止片２３がスリット１７の端縁に引っ掛からないように、基端側が上方へ傾斜している。
【００１７】
上記ブランクから陳列台を組み立てるには、図４に示すように、置台部１の２枚の分割材１１において、それぞれ広面板１２と側面板１３とを直角に折り曲げ、各分割材１１の継代片１４を相手方の分割材１１の側面板１３の側端部に貼り付けて、分割材１１同士を接合し、周壁を形成する。
【００１８】
次に、置台部１の周壁の内部に、切込を有する支持板３１を井桁状に組み合わせた受架材３を挿入する。
【００１９】
そして、内天板１６を、内側へ折り曲げて、内天板１６の折目線１８ａより基端側の部分を側面板１３の上部内面に沿わせ、折目線１８ａより先端側の部分を水平方向へ折り曲げて、受架材３に載せる。
【００２０】
その後、外天板１５を、内側へ折り曲げて、外天板１５の折目線１８ａより基端側の部分を広面板１２の上部内面に沿わせ、折目線１８ａ，１８ｂ間の部分を水平方向へ折り曲げて、内天板１６に重ね、折目線１８ｂより先端側の部分を切溝１６ａに差し込む。
【００２１】
また、図５に示すように、表示部材２のブランクにおいて、補強片２４を脚部２２の裏側に折り曲げて貼り付けることにより、脚部２２が高さ方向の途中で屈曲しないように補強し、後述のように、置台部１への商品の積上高さに応じて、適宜、下方側の係止片２３から脚部２２の裏側へ折り込む。
【００２２】
そして、図６に示すように、表示部材２の脚部２２を、置台部１の後部に位置するスリット１７に差し込むと、脚部２２は、置台部１の周壁内面に沿い、周壁上部に形成された凭れ壁１９に凭れて、表示部材２が起立状態に保持される。なお、置台部１は、前後対称であるため、一対の広面板１２のうち、どちらが前面になるようにしてもよい。
【００２３】
このような陳列台を用いて商品を陳列する際、図１に示すように、置台部１への商品Ｇの積上高さが低い場合には、上下に並ぶ係止片２３のうち、最下段と中間段の係止片２３を脚部２２の裏側に折り込み、最上段の係止片２３をスリット１７の両側方で外天板１５に当接させて、表示部材２を下がり止めし、表示板２１を低い位置に設定する。
【００２４】
また、図２（ａ）に示すように、置台部１への商品Ｇの積上高さが少し高い場合には、上下に並ぶ係止片２３のうち、最下段の係止片２３のみを脚部２２の裏側に折り込み、中間段の係止片２３をスリット１７の両側方で外天板１５に当接させて、表示部材２を下がり止めし、表示板２１を中間位置に設定する。
【００２５】
また、図２（ｂ）に示すように、置台部１への商品Ｇの積上高さが相当高い場合には、上下に並ぶ係止片２３のいずれも折り込むことなく、最下段の係止片２３をスリット１７の両側方で外天板１５に当接させて、表示部材２を下がり止めし、表示板２１を高い位置に設定する。
【００２６】
上記のように、この陳列台では、上下に並んだ係止片２３のうち、下方側からいずれの係止片２３まで折り込むかを選択することにより、表示板２１の高さを調整できるので、商品Ｇで表示板２１が隠されるのを防止しつつ、表示板２１と商品Ｇとを接近させて、優れた訴求性を得ることができる。
【００２７】
また、置台部１の上部に形成した凭れ壁１９と商品Ｇとで、表示部材２の脚部２２が挟まれるので、表示部材２の揺動が抑制され、表示板２１を安定した状態で、商品Ｇの後側上方に掲げることができる。
【００２８】
なお、上記実施形態では、表示部材２の脚部２２に、上下３段の係止片２３を段間の高さが均等となるように設けたものを例示したが、係止片２３は、陳列する商品の大きさや陳列の態様に応じて、２段又は４段以上設けるようにしてもよく、視覚的効果をより高めるため、係止片２３による段間の高さが不均等になるようにしてもよい。
【００２９】
また、表示部材２の脚部２２の両側に係止片２３を設けたものを例示したが、スリット１７が置台部１の一端に寄っている場合等においては、係止片２３は、脚部２２の片側にのみ設けるようにしてもよい。
【００３０】
さらに、置台部１の後部にスリット１７が位置するものを例示したが、外天板１５同士の突合部を切り欠き、内天板１６の切溝１６ａに連通させるような形状として、置台部１の前後方向中間部にスリット１７を設けるようにしてもよい。
【００３１】
また、置台部１として、周壁の形状が四角筒状のものを例示したが、置台部１は、周壁の形状が六角筒状や八角筒状等のものであってもよい。
【符号の説明】
【００３２】
１  置台部
１１  分割材
１２  広面板
１３  側面板
１４  継代片
１５  外天板
１５ａ  指入穴
１６  内天板
１６ａ  切溝
１７  スリット
１８ａ，１８ｂ  折目線
１９  凭れ壁
２  表示部材
２１  表示板
２２  脚部
２３  係止片
２４  補強片
３  受架材
３１  支持板
Ｇ  商品
【図１】
2011000352.tif 000003
【図２】
2011000352.tif 000004
【図３】
2011000352.tif 000005
【図４】
2011000352.tif 000006
【図５】
2011000352.tif 000007
【図６】
2011000352.tif 000008
【図７】
2011000352.tif 000009